(57)【要約】【課題】ユーザが番組検索の都度検索条件の指定を行うことなく検索結果を得る。また、ユーザが指定した検索条件に合致するチャンネルをリモコンにプリセットする。【解決手段】検索部６１は、ボックス６１１、６１２に入力された大分類及び中分類がＥＩＴ（Ｅｖｅｎｔ  Ｉｎｆｏｒｍａｔｉｏｎ  Ｔａｂｌｅ）のコンテント記述子で記述され、かつボックス６１３に入力された文字列の全部あるいは一部がＥＩＴの短形式イベント記述子で記述されている番組の番組ＩＤをＥＩＴから順次抽出する。設定部６２は、検索部６１の抽出した番組ＩＤと、検索条件に対応するボタン番号と、押下回数とを対応づけてボタン設定テーブル８１に記憶する。【選択図】  図５
2004282564.tif 000002
【特許請求の範囲】
【請求項１】
地上波デジタル放送番組の検索条件の入力を受け付ける検索条件入力受付部と、入力された検索条件に基づいて前記番組の検索を電源投入時に行う検索部と、検索条件に該当する番組を選局ボタンに設定する設定部と、前記検索条件に該当する番組が前記選局ボタンの押下時に終了している場合、前記検索条件に該当する番組の今後の放送予定を表示させて所望の放送予定の選択を受け付ける放送予定選択部と、前記検索を実行するか否かの選択を受け付け、前記実行が選択された場合に前記検索部に前記検索を行わせる実行選択受付部と、前記検索条件に該当する番組が存在しない場合に再検索をするか否かの選択を受け付け、再検索が選択された場合、前記検索条件入力受付部に検索条件の入力を再び受け付けさせ、前記検索部に入力された検索条件に基づいて再び番組の検索を行わせる再検索部とを備え、前記設定部は、前記検索条件に該当する番組が複数存在する場合、各番組を選局ボタンの押下回数と対応させて選局ボタンに設定することを特徴とする地上波デジタル放送受信機。
【請求項２】
地上波デジタル放送番組の検索条件の入力を受け付ける検索条件入力受付部と、入力された検索条件に基づいて前記番組の検索を電源投入時に行う検索部とを備えることを特徴とする地上波デジタル放送受信機。
【請求項３】
検索条件に該当する番組を選局ボタンに設定する設定部をさらに備えることを特徴とする請求項２記載の地上波デジタル放送受信機。
【請求項４】
前記設定部は、前記検索条件に該当する番組が複数存在する場合、各番組を選局ボタンの押下回数と対応させて選局ボタンに設定することを特徴とする請求項３記載の地上波デジタル放送受信機。
【請求項５】
前記検索条件に該当する番組が前記選局ボタンの押下時に終了している場合、前記検索条件に該当する番組の今後の放送予定を表示させて所望の放送予定の選択を受け付ける放送予定選択部をさらに備えることを特徴とする請求項３記載の地上波デジタル放送受信機。
【請求項６】
前記検索を実行するか否かの選択を受け付け、前記実行が選択された場合に前記検索部に前記検索を行わせる実行選択受付部をさらに備えることを特徴とする請求項２記載の地上波デジタル放送受信機。
【請求項７】
前記検索条件に該当する番組が存在しない場合に再検索をするか否かの選択を受け付け、再検索が選択された場合、前記検索条件入力受付部に検索条件の入力を再び受け付けさせ、前記検索部に入力された検索条件に基づいて再び番組の検索を行わせる再検索部をさらに備えることを特徴とする請求項２記載の地上波デジタル放送受信機。
【発明の詳細な説明】
【０００１】
【発明の属する技術分野】
本発明は、地上波デジタル放送受信機に関する。
【０００２】
【従来の技術】
従来の放送受信機において、視聴者が所望の放送番組を簡単に選局できるようにするための様々な技術が提案されている。例えば、特許文献１には、現在視聴中の番組と同一の属性の番組をスキップ選局可能な技術が開示されている。特許文献１によると、ユーザがリモコン送信機１１の番組検索キーを操作すると、制御回路６が現在視聴している番組のジャンルなどの属性情報を抽出する。次に、抽出した属性情報と現在送信されている他の番組の属性情報とを比較し、それらが一致した場合その番組を抽出しメモリする。このようにすれば、リモコン送信機１１のアップダウンキーを操作することで、現在視聴中の番組と同一の属性の番組だけをスキップ選局することが可能となる。
【０００３】
あるいは、特許文献２には、視聴者の好みのジャンルに該当する番組を選局できる技術が開示されている。特許文献２によると、予め視聴者が好みのジャンル等の属性データをメモリ１９に記憶させておく。視聴者がお好みジャンルボタン１７ａを押下すると、制御部１６がメモリ１９に記憶されている属性データと合致する属性データを含む番組をモニタ２に表示させる。視聴者は、表示された番組から所望の番組を選局ボタン１７ｂで選択できる。これにより、視聴者は即座に好みのジャンルから番組選択を行うことができる。
【０００４】
一方、特許文献３には、ユーザが指定したジャンルでチャンネルを検索する際、検索されたチャンネルからプリセットメモリに記憶されるチャンネルを除外する技術が開示されている。特許文献３によると、まずユーザが操作部１１を操作してプリセットメモリ１２にユーザの好みのチャンネルを記憶させておく。そして、ユーザが操作部１１を操作して検索したいチャンネルのジャンルを選択すると、制御部６は放送中のチャンネルから選択されたジャンルの付加されたチャンネルを検索する。そして、制御部６は検索されたチャンネルからプリセットメモリ１２に記憶されるチャンネルを除外し、ディスプレイ装置１０に表示する。このようにすれば、プリセットされているチャンネルを検索結果から除外して検索結果を表示でき、ユーザが普段視聴することの少ないチャンネルの中でジャンル検索を行うのに便利となる。
【０００５】
【特許文献１】
特開２０００−２６１７３３号公報（段落００３４〜００３９、図２）
【０００６】
【特許文献２】
特開平１０−２８２４３号公報（段落００５２〜００５７）
【０００７】
【特許文献３】
特開２００２−５１２７７号公報（段落００２６〜００３４）
【０００８】
【発明が解決しようとする課題】
特許文献１に記載の技術では、現在視聴している番組の属性情報と合致する属性情報を含む番組をスキップ選局できるが、検索された番組をリモコン送信機１１にプリセットすることはできない。また、ユーザがチャンネルを検索するにはリモコン送信機１１の番組検索キーをその都度操作する必要がある。
【０００９】
特許文献２に記載の技術では、メモリ１９に記憶されている属性データと合致する属性データを含む番組がモニタ２に表示されるが、メモリ１９に記憶されている属性データと合致する属性データを含む番組をリモコン１７にプリセットすることはできない。また、このような番組を表示させるには、お好みジャンルボタン１７ａをその都度押下する必要がある。
【００１０】
特許文献３に記載の技術では、検索されたチャンネルからプリセットメモリ１２に記憶されるチャンネルを除外したものがディスプレイ装置１０に表示されるが、このチャンネルをプリセットメモリ１２に記憶させることはできない。また、チャンネルの検索を行うためには操作部１１をその都度操作してジャンルを選択する必要がある。
【００１１】
本発明は、ユーザが番組検索の都度検索条件の指定を行うことなく検索結果を得ることを目的とする。また、本発明は、ユーザが指定した検索条件に合致するチャンネルをリモコンにプリセットすること目的とする。
【００１２】
【課題を解決するための手段】
上述の課題を解決するため、請求項１記載の地上波デジタル放送受信機は、地上波デジタル放送番組の検索条件の入力を受け付ける検索条件入力受付部と、入力された検索条件に基づいて前記番組の検索を電源投入時に行う検索部と、検索条件に該当する番組を選局ボタンに設定する設定部と、前記検索条件に該当する番組が前記選局ボタンの押下時に終了している場合、前記検索条件に該当する番組の今後の放送予定を表示させて所望の放送予定の選択を受け付ける放送予定選択部と、前記検索を実行するか否かの選択を受け付け、前記実行が選択された場合に前記検索部に前記検索を行わせる実行選択受付部と、前記検索条件に該当する番組が存在しない場合に再検索をするか否かの選択を受け付け、再検索が選択された場合、前記検索条件入力受付部に検索条件の入力を再び受け付けさせ、前記検索部に入力された検索条件に基づいて再び番組の検索を行わせる再検索部とを備え、前記設定部は、前記検索条件に該当する番組が複数存在する場合、各番組を選局ボタンの押下回数と対応させて選局ボタンに設定することを特徴とする。
【００１３】
請求項２記載の地上波デジタル放送受信機は、地上波デジタル放送番組の検索条件の入力を受け付ける検索条件入力受付部と、入力された検索条件に基づいて前記番組の検索を電源投入時に行う検索部とを備えることを特徴とする。
【００１４】
上記発明によると、ユーザが一度検索条件を入力すれば、地上波デジタル放送受信機の電源投入時に入力された検索条件で番組が検索される。従って、ユーザは度々検索条件を入力しなくても所望の番組を検索することができる。
【００１５】
請求項３記載の地上波デジタル放送受信機は、請求項２記載の地上波デジタル放送受信機において、検索条件に該当する番組を選局ボタンに設定する設定部をさらに備えることを特徴とする。
【００１６】
上記発明によると、検索条件に該当する番組が選局ボタンに設定される。従って、ユーザは選局ボタンを操作するだけで検索条件に該当する番組を視聴できる。
【００１７】
請求項４記載の地上波デジタル放送受信機は、請求項３記載の地上波デジタル放送受信機において、前記設定部は、前記検索条件に該当する番組が複数存在する場合、各番組を選局ボタンの押下回数と対応させて選局ボタンに設定することを特徴とする。
【００１８】
上記発明によると、検索条件に該当する番組が選局ボタンの押下回数に対応させて設定される。従って、ユーザは、所定回数選局ボタンを押下することで１つの選局ボタンに設定された複数の番組のうち所望の番組を選択して視聴できる。
【００１９】
請求項５記載の地上波デジタル放送受信機は、請求項３記載の地上波デジタル放送受信機において、前記検索条件に該当する番組が前記選局ボタンの押下時に終了している場合、前記検索条件に該当する番組の今後の放送予定を表示させて所望の放送予定の選択を受け付ける放送予定選択部をさらに備えることを特徴とする。
【００２０】
上記発明によると、検索条件に該当する番組が選局ボタンの押下時に終了している場合、検索条件に該当する番組の今後の放送予定の中から所望の放送予定を選択できる。この選択された放送予定を、例えば受信機の起動スケジュールやＶＴＲなどの録画スケジュールとすれば、検索条件に該当する番組の視聴予約や録画予約をすることができる。つまり、ユーザは検索条件に該当する番組の視聴や録画を逃しても、予約をすることで次回の放送時は確実に番組の視聴や録画をすることができる。
【００２１】
請求項６記載の地上波デジタル放送受信機は、請求項２記載の地上波デジタル放送受信機において、前記検索を実行するか否かの選択を受け付け、前記実行が選択された場合に前記検索部に前記検索を行わせる実行選択受付部をさらに備えることを特徴とする。
【００２２】
上記発明によると、検索を実行するか否かを選択できる。従って、電源投入の度に不必要な検索が実行されることを防ぐことができる。
【００２３】
請求項７記載の地上波デジタル放送受信機は、請求項２記載の地上波デジタル放送受信機において、前記検索条件に該当する番組が存在しない場合に再検索をするか否かの選択を受け付け、再検索が選択された場合、前記検索条件入力受付部に検索条件の入力を再び受け付けさせ、前記検索部に入力された検索条件に基づいて再び番組の検索を行わせる再検索部をさらに備えることを特徴とする。
【００２４】
上記発明によると、検索条件に該当する番組が存在しない場合でも、再び検索条件を入力して検索を行うことができる。
【００２５】
【発明の実施の形態】
＜第１実施形態＞
（１）ハードウェア構成
図１は、本発明の一実施形態に係る地上波デジタル放送受信機のハードウェア構成図である。この受信機は、ＯＦＤＭチューナ回路１と、ＤＥ・ＭＵＸ回路２と、ＭＰＥＧ  ＤＥＣＯＤＥＲ回路３と、ＧＲＡＰＨＩＣ回路４と、ＮＴＳＣエンコーダ回路５と、ＣＰＵ６と、メモリ７、８と、赤外線受信部９とを備えている。ＯＦＤＭチューナ回路１は、ＣＰＵ６により設定されるチャンネルの周波数に基づいて放送信号を受信する。ＤＥ・ＭＵＸ回路２は、ＯＦＤＭ信号をＭＰＥＧ形式のデータにデコードしてＭＰＥＧ  ＤＥＣＯＤＥＲ回路３に出力するとともに、ＮＩＴ（Ｎｅｔｗｏｒｋ  Ｉｎｆｏｒｍａｔｉｏｎ  Ｔａｂｌｅ）に含まれる地域識別情報をＣＰＵ６に入力する。ＭＰＥＧ  ＤＥＣＯＤＥＲ回路３は、ＭＰＥＧ形式のデータをデコードする。ＧＲＡＰＨＩＣ回路４は、デコードされたＭＰＥＧ形式のデータを画像信号に変換する。ＮＴＳＣエンコーダ回路５は、画像信号をＮＴＳＣ信号に変換し、テレビ等の表示装置２０に出力する。なお、テレビがＤ端子を有している場合には、画像信号をＤ端子に入力するようにしてもよい。
【００２６】
ＣＰＵ６は、ＯＦＤＭチューナ回路１にチャンネルの周波数を設定することによりチャンネルスキャンを行う。チャンネルスキャンの結果、ある放送局からの放送信号が正常かつ良好に受信できると判断された場合、ＣＰＵ６は、その放送局の識別番号と周波数とを対応づけたチャンネルリストをメモリ８に記憶する。
【００２７】
ＣＰＵ６は、赤外線受信部９と接続されている。赤外線受信部９は、リモコン１０の選局ボタン１００の操作に基づく赤外線信号を受信する。この赤外線信号には、選局ボタン１００の番号１〜１２を示す情報（以下、番号情報）が含まれる。ＣＰＵ６は、番号情報と、同一の選局ボタン１００を押下した回数、即ち同一の番号情報を受信した回数と、チャンネルリストと、メモリ８に記憶されるボタン設定テーブル８１とに基づき、操作された選局ボタン１００に対応する周波数をＯＦＤＭチューナ回路１に設定し、放送信号を受信する。後述するが、ボタン設定テーブル８１は、選局ボタン１００の番号１〜１２と、選局ボタン１００の押下回数と、放送局の識別番号との対応を定める。
【００２８】
メモリ７は、揮発性のメモリ、例えばＲＡＭである。メモリ７は、受信信号に含まれる情報を一時的に記憶する。メモリ８は、フラッシュメモリ等の不揮発性のメモリ、例えばＥＥＰＲＯＭである。
【００２９】
（２）機能構成
（２−１）メモリ
図２は、ボタン設定テーブル８１に記憶される情報の概念説明図である。このテーブルには、ボタン番号と、番組ＩＤと、押下回数とが対応づけられて記憶される。ボタン番号とは、選局ボタン１００の番号１〜１２である。番組ＩＤとは、番組の識別子である。番組ＩＤには、その番組を放送する放送局の識別番号も含まれている。例えば、番組ＩＤ「Ｐ００３／Ｂ００１」は、放送局の識別番号「Ｂ００１」を含む。押下回数とは、選局ボタンに対応づけられる番組ＩＤが複数存在する場合、その番組を放送するチャンネルを表示するためのボタンの押下回数を示す。例えば、番号「１」の選局ボタン１００を１回押下すると、番組ＩＤ「Ｐ００３／Ｂ００１」の番組を放送する放送局の周波数がＣＰＵ６によりＯＦＤＭチューナ回路１に設定される。番号「１」の選局ボタンを２回押下すると、番組ＩＤ「Ｐ００８／Ｂ００５」の番組を放送する放送局の周波数がＯＦＤＭチューナ回路１に設定される。
【００３０】
（２−２）ＣＰＵ
再び図１を参照すると、ＣＰＵ６は、検索条件入力受付部６０、検索部６１、設定部６２、及び再検索部６３を備える。検索条件入力受付部６０は、検索部６１が番組を検索するための条件である検索条件をリモコン１０などから受け付ける。
【００３１】
検索条件の入力は、図３の検索条件入力画面で行われる。この検索条件入力画面では、ボタン番号１〜１２ごとに検索したい番組が満たすべき条件を入力できる。入力できる条件は、番組のジャンル及びキーワードであり、ジャンルはさらに大分類及び中分類を入力できる。ここでは、大分類として「スポーツ」、「バラエティ」、及び「ニュース」のいずれかをボックス６１１から選択できる。中分類は、選択された大分類について番組のジャンルをさらに細かく分類するものであり、ここでは大分類「スポーツ」に対し「野球」、「サッカー」、及び「ゴルフ」をボックス６１２から選択できる。ボックス６１３には任意の文字列を入力でき、例えば番組の名称や、番組の出演者の名前などの文字列を入力する。なお、検索条件は、大分類、中分類及び文字列の全てを入力する必要はなく、いずれかを指定すれば足りる。例えば、大分類だけ、または文字列だけを入力してもよい。また、この画面で入力できる検索条件は上記に限定されず、番組のジャンル及びキーワード以外のもの、例えば視聴制限年齢を検索条件として入力できるようにしてもよい。
【００３２】
検索部６１は、入力された大分類、中分類、キーワードで特定される番組を、放送局から伝送されるＥＩＴ（Ｅｖｅｎｔ  Ｉｎｆｏｒｍａｔｉｏｎ  Ｔａｂｌｅ）に基づいて検索する。このＥＩＴには、番組名と番組の簡単な説明を記述する短形式イベント記述子、番組のジャンル大分類及びジャンル中分類を記述するコンテント記述子などが含まれる。検索部６１は、ボックス６１１、６１２に入力された大分類及び中分類がＥＩＴのコンテント記述子で記述されており、かつボックス６１３に入力された文字列の全部あるいは一部がＥＩＴの短形式イベント記述子で記述されている番組の番組ＩＤをＥＩＴから順次抽出する。
【００３３】
設定部６２は、検索部６１の抽出した番組ＩＤと、検索条件に対応するボタン番号と、押下回数とを対応づけてボタン設定テーブル８１に記憶する。押下回数は、例えば検索部６１による番組ＩＤの抽出順とすることができるが、この他の方法で定めてもよい。以下、ボタン設定テーブル８１に記憶された情報をボタン設定情報という。
【００３４】
再検索部６３は、検索部６１による検索の結果、検索条件に該当する番組が存在しない場合、再検索を促す画面（図４参照）を表示装置２０に表示させ、リモコン１０による再検索の実行入力を受け付ける。そして、検索条件入力受付部６０に再度検索条件の入力を受け付けさせ、検索部６１に入力された検索条件で番組を再度検索させる。
【００３５】
（３）ＣＰＵが行う処理
以下、図５のフローチャートを参照し、ＣＰＵ６が行うチャンネル設定処理の流れを説明する。チャンネル設定処理は、受信機の電源投入時に開始する。
【００３６】
ステップ（以下、Ｓで表す）１１：検索部６１は、図３の検索条件入力画面でボタン番号ごとに入力された検索条件で番組を順次検索する。なお、検索の順序は、例えばボタン番号の小さいものから行えばよい。
【００３７】
Ｓ１２：検索部６１は、検索条件入力画面で入力された検索条件に該当する番組が存在するか否かを判断する。存在する場合、Ｓ１３へ移行する。存在しない場合、Ｓ１４へ移行する。
【００３８】
Ｓ１３：設定部６２は、検索部６１の抽出した番組ＩＤと、検索条件に対応するボタン番号と、押下回数とを対応づけてボタン設定テーブル８１に記憶する。
【００３９】
Ｓ１４：再検索部６３は、図４に示すように、検索条件入力画面で入力された検索条件に該当する番組が存在しない旨及び再検索を促す画面を表示装置２０へ表示させる。
【００４０】
Ｓ１５：再検索部６３は、は、図４の画面で「再度検索を行う」または「現行のチャンネルのまま」の選択の入力をリモコン１０などから受け付ける。「再度検索を行う」が選択された場合、Ｓ１７へ移行し、「現行のチャンネルのまま」が選択された場合、Ｓ１６へ移行する。
【００４１】
Ｓ１６：検索部６１は、検索条件の指定された全てのボタン番号について検索が行われたか否かを判断する。全てのボタン番号について検索された場合、処理を終了する。全てのボタン番号について検索されていない場合、Ｓ１１に戻り、まだ検索の行われていないボタン番号について入力された検索条件で番組の検索を行う。
【００４２】
Ｓ１７：検索条件入力受付部６０は、図３の検索条件入力画面を表示して検索条件の入力を受け付ける。そして、Ｓ１１へ戻り、検索部６１は入力された検索条件で番組の検索を行う。
【００４３】
以上の処理により、一度検索条件入力画面で検索条件を入力しておけば、受信機の電源投入時に検索条件に合致する番組が検索され、検索条件に該当する番組の番組ＩＤと選局ボタンの番号とが対応づけられてボタン設定テーブル８１に記憶される。即ち、ユーザは検索条件を指定して受信機の電源を再投入すれば、後は選局ボタン１００を押すだけで好みの番組を視聴することができる。
【００４４】
また、以上の処理により、ボタン設定テーブル８１にはボタン番号及び番組ＩＤに選局ボタン１００の押下回数が対応づけられて記憶される。従って、ユーザは所定回数選局ボタン１００を押下することで、１つの選局ボタン１００に設定された複数の番組のうち所望の番組を選択して視聴できる。
【００４５】
さらに、以上の処理により、検索条件に該当する番組が存在しない場合でも、再び検索条件を入力して検索を実行するか、あるいは選局ボタン１００に設定されている番組をそのままにしておくかをユーザに選択させることができる。従って、ユーザは検索条件を適宜変更して好みの番組を選局ボタン１００に設定することが可能である。
【００４６】
＜その他の実施形態＞
（Ａ）第１実施形態においては、ボタン設定テーブル８１に記憶された番組ＩＤで識別される番組を選局ボタン１００で選局したとき、すでにその番組が終了している場合もある。この場合、図６に示すように、その番組が既に終了した旨及び次回の放送予定日時の一覧を示す画面を表示装置２０に表示させるようにしてもよい。さらに、この画面で放送予定日時の一覧から視聴あるいは録画したい番組を選択できるようにしてもよい。こうすれば、ユーザが検索条件に該当する番組の視聴や録画を逃しても、予約をすることで次回の放送時は確実に番組の視聴や録画をすることができる。
【００４７】
（Ｂ）第１実施形態のボタン設定処理の実行の有無をメニュー画面などから設定できるようにしてもよい。こうすれば、受信機の電源投入の度に不必要にボタン設定処理が実行されることを防ぐことができる。なお、ボタン設定処理を実行しない場合は、メモリ８に記憶されている各地域の放送局の識別番号と選局ボタンの番号１〜１２とを対応させたテーブル（選局ボタン割り当て表）をボタン設定テーブル８１の代わりに使用するようにしてもよい。
【００４８】
【発明の効果】
本発明によると、ユーザが一度検索条件を入力すれば、地上波デジタル放送受信機の電源投入時に入力された検索条件で番組が検索される。従って、ユーザは度々検索条件を入力しなくても所望の番組を検索することができる。
【００４９】
また、本発明によると、検索条件に該当する番組が選局ボタンに設定される。従って、ユーザは選局ボタンを操作するだけで検索条件に該当する番組を視聴できる。
【図面の簡単な説明】
【図１】地上波デジタル放送受信機の構成図。
【図２】ボタン設定テーブルに記憶される情報の概念説明図。
【図３】検索条件入力画面の表示例。
【図４】再検索指定画面の表示例。
【図５】チャンネル設定処理のフローチャート。
【図６】次回の放送予定日時の一覧を示す画面の例。
【符号の説明】
６０：検索条件入力受付部
６１：検索部
６２：設定部
６３：再検索部
８１：ボタン設定テーブル
【図１】
2004282564.tif 000003
【図２】
2004282564.tif 000004
【図３】
2004282564.tif 000005
【図４】
2004282564.tif 000006
【図５】
2004282564.tif 000007
【図６】
2004282564.tif 000008